(57)【要約】      （修正有）【課題】折り戸等の戸体が閉じた状態で確実に係止することができる係止装置を備えた扉装置を提供する。【解決手段】戸体の上面部にばね付勢されたキャッチ本体４０を備え、戸体を閉じた際に、キャッチ本体４０のヘッド部４２が上部案内レール１５のレール形成片１５Ａを乗り越え、凹溝１８に隙間無く嵌り合った場合に、凹溝１８の後方側のレール形成片１５Ｂに係止する段差（係止部）がキャッチ本体４０に設けられている。【選択図】図６
2005336896.tif 000002
【特許請求の範囲】
【請求項１】
枠体の上枠に案内レールを備え、
この案内レールを介して前記枠体に戸体を開閉可能に支持し、
この戸体の上面部に係止体を備え、
この係止体は、ばね付勢されて前記戸体から外方へ突出すると共に、戸体を閉じた際には、案内レールの凹溝を形成する前方側のレール形成片を乗り越えて、当該案内レールの凹溝に嵌り合う頭部を備え、
この頭部は、凹溝に嵌り合った際に、当該凹溝の後方側のレール形成片に係止する係止部を備えることを特徴とする扉装置。
【請求項２】
枠体に開閉可能な戸体を備え、
この戸体に係止体を備え、
この係止体は、ばね付勢されて前記戸体から外方へ突出すると共に、戸体を閉じた際には、当該戸体に設けた溝に嵌る頭部を備え、
この頭部は、溝に嵌った際に、当該溝の奥側の当接部に当接して係止する係止部を備えることを特徴とする扉装置。
【発明の詳細な説明】
【技術分野】
【０００１】
本発明は、枠体に、開閉可能な例えば折れ戸等の戸体が設けられ、この戸体に係止体を備えた扉装置に関する。
【背景技術】
【０００２】
浴室やクローゼット等の収納建具には、浴室出入口や収納建具の開口部に枠体が設けられ、この枠体に開閉可能な戸体を備える扉装置が設けられている。この種のものには、戸体を閉じた際に戸体が閉状態で止まるように、戸体に、ばね付勢されたヘッド部（係合ロッドに相当）を有するキャッチ本体を設け、戸体が閉る際に、このヘッド部が枠体に設けられた案内レールを乗り越えて案内レールの凹溝で止まるようにしたものがある（例えば、特許文献１）。
【特許文献１】特開平９−２５７５６号公報
【発明の開示】
【発明が解決しようとする課題】
【０００３】
しかしながら、従来の構成では、ヘッド部の上面が曲面に形成され、この曲面が案内レールの凹溝に嵌るように構成されているため、例えば戸体を勢いよく閉じた場合等で戸体に大きな衝撃が加わると、ヘッド部が案内レールで止まらず、案内レールを通り過ぎ、戸体が反対側に開いてしまう場合があった。
【０００４】
本発明は、上述した事情に鑑みてなされたものであり、戸体が確実に閉じた状態で止まる扉装置を提供することを目的としている。
【課題を解決するための手段】
【０００５】
上述課題を解決するため、本発明は、扉装置において、枠体の上枠に案内レールを備え、この案内レールを介して前記枠体に戸体を開閉可能に支持し、この戸体の上面部に係止体を備え、この係止体は、ばね付勢されて前記戸体から外方へ突出すると共に、戸体を閉じた際には、案内レールの凹溝を形成する前方側のレール形成片を乗り越えて、当該案内レールの凹溝に嵌り合う頭部を備え、この頭部は、凹溝に嵌り合った際に、当該凹溝の後方側のレール形成片に係止する係止部を備えることを特徴とする。
【０００６】
また、本発明は、扉装置において、枠体に開閉可能な戸体を備え、この戸体に係止体を備え、この係止体は、ばね付勢されて前記戸体から外方へ突出すると共に、戸体を閉じた際には、当該戸体に設けた溝に嵌る頭部を備え、この頭部は、溝に嵌った際に、当該溝の奥側の当接部に当接して係止する係止部を備えることを特徴とする。
【発明の効果】
【０００７】
本発明は、枠体の上枠に案内レールを備え、この案内レールを介して枠体に戸体を開閉可能に支持し、この戸体の上面部に係止体を備え、この係止体は、ばね付勢されて前記戸体から外方へ突出すると共に、戸体を閉じた際には、案内レールの凹溝を形成する前方側のレール形成片を乗り越えて、当該案内レールの凹溝に嵌り合う頭部を備え、この頭部は、凹溝に嵌り合った際に、当該凹溝の後方側のレール形成片に係止する係止部を備えるため、例えば戸体を勢いよく閉じた場合等で戸体に大きな衝撃が加わったとしても、戸体が確実に閉じた状態で止まる。
【発明を実施するための最良の形態】
【０００８】
以下、図面を参照しつつ本発明の実施の形態について説明する。
【０００９】
図１は、部屋の可動間仕切りに用いられる扉装置の正面図である。この扉装置１０は、少なくとも上枠１１および左右の縦枠１２，１３からなる三方枠の枠体１４と、この枠体１４内に折畳み開閉自在に設けられた折れ戸２０とを備えている。図示例の扉装置１０は、枠体１４内に二枚の戸体（障子）２１からなる折れ戸２０を左右に二組配置して引き分け（両開き）や片開きを可能とした、戸体２１が四枚タイプに構成されている。
【００１０】
図２は、扉装置１０の縦断面図である。上枠１１は、ねじ１１Ａにより部屋の天井に固定され、この上枠１１には、折れ戸２０の上部を吊持する吊車２２を走行可能に支持する上部案内レール１５が左右の縦枠１２，１３の上端部間に設けられている。フロア（床）１６には、折れ戸２０の下部に突設された下部ガイド部材２３を案内するガイド溝を有する下部案内レール１７が左右の縦枠１２，１３の下端部間に設けられている。この下部案内レール１７は、ねじ１１Ｂによりフロア１６に固定されている。
【００１１】
図３は、扉装置１０の横断面図である。縦枠１２，１３は、ねじ１１Ｃ，１１Ｄによりそれぞれ部屋の壁に固定されている。折れ戸２０は、二枚の戸体２１がヒンジ２４を介して折畳み自在（屈曲自在）に連結され、各折れ戸２０には、取っ手３７（図１参照）が設けられている。戸体２１は、図１に示すように、上桟３０、中桟３１、下桟３２、および左右の縦框３３，３４からなる框体内に化粧板又はガラス等の部材３５，３６を備えて構成されている。各戸体２１の上面部には前記吊車２２が取り付けられ、下面部には前記下部ガイド部材２３がそれぞれ取り付けられ、吊車２２と下部ガイド部材２３とにより、例えば、図４に示すように、これら戸体２１が前記案内レール１５，１７に沿って折畳み開閉自在に枠体１４に支持されている。図４中、案内レール１５，１７の中心線を符号Ｃにより示している。なお、戸体２１から下部ガイド部材２３を省略してもよく、下部ガイド部材２３を省略した場合は、下部案内レール１７を設けなくてよい。
【００１２】
戸体２１の側端部には、折れ戸２０の閉鎖時に光漏れを防止するモヘア２５と、戸体２１同士または戸体２１と縦枠１２，１３間の隙間から水や埃などの侵入を防止すると共に戸当たり音を低減するパッキン２６とが設けられている。
【００１３】
この扉装置１０は、図５及び図６に示すように、折れ戸２０の上面部にキャッチ本体（係止体）４０を備えており、このキャッチ本体４０は、戸体２１の上面部２１Ｕに形成された穴２７に嵌るケース４１と、このケース４１に挿入されるヘッド部（頭部）４２とを備えて構成されている。このキャッチ本体４０のケース４１は、図７に示すように、筒形状に形成されており、その内部には、ばね押さえ４３が挿入されている。このばね押さえ４３の中心部には、上下方向に貫通する雌ねじ部４３Ａが形成され、この雌ねじ部４３Ａには、調整ねじ４６の雄ねじ部４６Ａが下方から螺入されている。
【００１４】
この調整ねじ４６は、つば部４６Ｂを含み、このつば部４６Ｂは、ケース４１に形成された受け穴４１Ａに遊嵌されている。これによれば、この調整ねじ４６は、つば部４６Ｂを介して、ケース４１に支持された状態で、回転が自在であり、これが回転されると、調整ねじ４６の雄ねじ部４６Ａに、雌ねじ部４３Ａを介して螺合されたばね押さえ４３が、調整ねじ４６の回転量に応じて上下移動する。上記ばね押さえ４３の上部には、係止部４３Ｂが一体に形成され、この係止部４３Ｂには、ヘッド部４２の下部の爪部４２Ａが係止されている。そして、このヘッド部４２には受け穴４２Ｂが形成され、この受け穴４２Ｂと上記ばね押さえ４３との間には、ばね４４が介装されている。このばね４４は、ヘッド部４２の爪部４２Ａが、ばね押さえ４３の係止部４３Ｂに係合する位置まで、ヘッド部４２を上方に付勢しており、このヘッド部４２が下方に押された場合には、ヘッド部４２の爪部４２Ａが、ばね押さえ４３の縦孔４３Ｃ内を下方に移動して、ヘッド部４２が下方に沈み込む。図６中、符号Ｌは、ヘッド部４２の最低調整位置を示しており、符号Ｈは、ヘッド部４２の最高調整位置を示している。
【００１５】
ケース４１の外側には、窓部４７が形成され、外部からばね押さえ４３の位置を視認可能に構成されている。この窓部４７の側には、目盛り４８が設けられており、この目盛り４８に合わせてばね押さえ４３の位置を調整することにより、ヘッド部４２の突出量を容易に調整することができる。
【００１６】
ケース４１の外周面には、図８及び図９に示すように、ケース４１の上下方向に連続する縦溝５０と、この縦溝５０と連通する横溝５１とがそれぞれケース４１の外周面に１８０度間隔で形成されている。この縦溝５０は、戸体２１の上面にねじ５２，５３で固定された押さえ板５４に設けられた突起５５，５６を通過可能な形状に形成される。このため、この縦溝５０に上記突起５５，５６を通すことで、キャッチ本体４０を、戸体２１の穴２７に抜き差しすることができる。横溝５１は、キャッチ本体４０を上記穴２７の奥まで挿入した際に上記突起５５，５６と同じ高さになる位置に設けられ、この横溝５１には、キャッチ本体４０をＸ方向に回した際に、上記突起５５，５６と係合する係合部５７，５８が設けられている。従って、キャッチ本体４０を上記穴２７の奥まで挿入した状態で、キャッチ本体４０をＸ方向に回すことにより、キャッチ本体４０を戸体２１に固定することができる。一方、この手順と逆の手順、つまり、キャッチ本体４０を矢印Ｘ方向と反対方向に回した後、キャッチ本体４０を引き抜くことにより、キャッチ本体４０を戸体２１から取り出すことができる。これにより、キャッチ本体４０は、工具を使用することなく、簡単に着脱することができる。
【００１７】
キャッチ本体４０は、図８に示すように、戸体２１のヒンジ２４の側に配置され、折れ戸２０の折畳み時（開放時）は、ヘッド部４２は上部案内レール１５から離れた位置にあり、折れ戸２０を閉じると、図５に示すように、ヘッド部４２が上部案内レール１５に当接し、ヘッド部４２が下方に移動して、上部案内レール１５の前方側のレール形成片１５Ａを乗り越えて、このヘッド部４２が、図６に示すように、上部案内レール１５の凹溝１８内に、ほぼ隙間無く嵌り合う。
【００１８】
このヘッド部４２の頂面６１には、上部案内レール１５の後方側のレール形成片１５Ｂに当接する段差６０が設けられている。この段差６０は、図７に示すように、ヘッド部４２の前部６２を含み、この前部６２の後方に、所定寸法Ｌ１分だけ後退した段差面（係止部）６１Ａを備えて構成されている。また、ヘッド部４２の頂面６１には、後方側、即ち、段差６０と反対側に湾曲形状の後部６３を含んで構成されている。
【００１９】
上記前部６２は、湾曲した形状になっており、折れ戸２０を閉じて（折り畳んで）いくと、図５に示すように、この前部６２が、上部案内レール１５の前方側のレール形成片１５Ａに接触する。この前部６２は、上部案内レール１５側に突出する曲面形状に形成されているため、この前部６２のプロフィルに従って、上記ばね４４のばね力に抗して、ヘッド部４２が下方に沈み込む。このヘッド部４２の前部６２が、上部案内レール１５の前方側のレール形成片１５Ａを乗り越え、さらに、折れ戸２０が押し込まれると、このヘッド部４２のすべてが、図６に示すように、上部案内レール１５の凹溝１８内に嵌り合う。この段階では、ヘッド部４２の前部６２が、上部案内レール１５の後方側のレール形成片１５Ｂの壁１８Ａを乗り越えて進み、ヘッド部４２の段差６０の段差面６１Ａが、当該レール形成片１５Ｂの壁１８Ａに当接する。
【００２０】
一方、折れ戸２０を開く場合には、ヘッド部４２の後部６３が活用される。即ち、このヘッド部４２の後部６３は、前方側のレール形成片１５Ａ側に突出する曲面形状に形成されているため、折れ戸２０を開く場合、この後部６３のプロフィルに従って、ヘッド部４２が、上記ばね４４のばね力に抗して下方に沈み込んで、上記ヘッド部４２の下方への円滑な移動が可能になる。上記折れ戸２０を閉じる力、及び、それを開く力は、上記ヘッド部４２を上方に付勢するばね４４のばね力によって決定される。仮に、ばね４４のばね力を弱くすると、折れ戸２０の開閉は容易になるが、折れ戸２０に過大な閉じ力をかけた場合、その力によって、折れ戸２０が反対側に開く恐れがある。また、ばね４４のばね力を強くすると、折れ戸２０の開閉が困難になる。
【００２１】
本構成では、ヘッド部４２の頂面に、上部案内レール１５の後方側のレール形成片１５Ｂに当接する段差６０を設けたから、ばね４４のばね力を弱めに設定したとしても、ヘッド部４２は、上部案内レール１５の凹溝１８内に確実に嵌り合い、このヘッド部４２が、凹溝１８から簡単に抜け出ることがなく、従って、仮に、折れ戸２０に過大な閉じ力がかかったとしても、その力によって、折れ戸２０が反対側に開いてしまうと云ったトラブルは解消される。しかも、ばね４４のばね力は弱めに設定できるため、折れ戸２０の開閉をスムーズに行うことが可能になる。
【００２２】
本構成の扉装置１０では、いわゆる戸当たりを設けなくてもよい。この戸当たりは、通常、枠体１４の開口に突出するように設置される。従って、戸当たりを設けなくてもよいとなれば、その分、枠体１４の開口面積を大きく確保できるし、戸当たりを設けない分だけ、製造コストを低減できる。
【００２３】
本実施形態では、図８及び図９に示すように、押さえ板５４には、キャッチ本体４０を固定する上記突起５５，５６が１８０度間隔で配置され、また、キャッチ本体４０のケース４１には、上記突起５５，５６に対応する上記縦溝５０および横溝５１が１８０度間隔で配置されている。すなわち、突起５５，５６、縦溝５０および横溝５１が対称位置に設けられており、このため、キャッチ本体４０を１８０度回転した位置でも固定することが可能となっている。従って、上記折れ戸２０等の戸体の開き勝手が上記と反対方向の場合には、キャッチ本体４０を戸体から抜いて１８０度回転して再度取り付ければよく、開き勝手の変更に要する部品コスト等を低減することができる。
【００２４】
図１０および図１１は、それぞれ別の実施形態を示す。
【００２５】
図１０は、横開き戸の扉装置１０Ａを示している。この扉装置１０Ａにおいては、枠体１４Ａに対し、戸体２０Ａが図示を省略した丁番により横開き自在に設けられている。この戸体２０Ａの上面部２０Ｕには、上記実施形態と同様にキャッチ本体４０および押さえ板５４が設けられている。枠体１４Ａの上枠１４Ｂには、戸体２０Ａを閉じた際に、キャッチ本体４０のヘッド部４２が嵌る溝６８が設けられ、この溝６８の奥側に、ヘッド部４２の面６１Ａが当接する当接部である壁６８Ａが設けられている。従って、戸体２０Ａを閉じた際に、キャッチ本体４０のヘッド部４２が壁６８Ａに当接し、戸体２０Ａを閉じた状態に係止させることができる。
【００２６】
図１１は、下開き戸の扉装置１０Ｂを示している。この扉装置１０Ｂにおいては、枠体１４Ｃに対し、戸体２０Ｂが図示を省略した丁番により下開き自在に設けられている。この扉装置１０Ｂにおいても、上記扉装置１０Ａと同様に、戸体２０Ｂの上面部２０Ｕにキャッチ本体４０および押さえ板５４が設けられると共に、枠体１４Ｃの上枠１４Ｄに溝６９が設けられ、この溝６９の奥側に、戸体２０Ｂを閉じた際に、ヘッド部４２の面６１Ａが当接する当接部である壁６９Ａが設けられている。従って、この場合も、戸体２０Ｂを閉じた際に、キャッチ本体４０のヘッド部４２が壁６９Ａに当接し、戸体２０Ｂを閉じた状態に係止させることができる。
【００２７】
以上、本発明による扉装置の一実施形態を説明したが、本発明はこれに限らず、種々の変形が可能である。上記構成では、戸体２０Ａ，２０Ｂの上面部にキャッチ本体４０を設けたが、これに限定されず、例えば、戸体の側面部にキャッチ本体を設け、このキャッチ本体のヘッド部が、縦枠に形成した凹溝に嵌る構成にしてもよい。
【図面の簡単な説明】
【００２８】
【図１】本実施形態に係る扉装置の正面図である。
【図２】扉装置の縦断面図である。
【図３】扉装置の横断面図である。
【図４】扉装置の折れ戸を片開きした状態を示す横断面図である。
【図５】キャッチ本体の説明に供する図である。
【図６】キャッチ本体の説明に供する図である。
【図７】キャッチ本体の一部断面図である。
【図８】キャッチ本体を周辺構成と共に示す上面図である。
【図９】キャッチ本体の取り付けの説明に供する斜視図である。
【図１０】別実施形態に係る扉装置を示す斜視図である。
【図１１】別実施形態に係る扉装置を示す斜視図である。
【符号の説明】
【００２９】
１０  扉装置
１４，１４Ａ，１４Ｃ  枠体
１５  上部案内レール
１５Ａ，１５Ｂ  レール形成片
１８  凹溝
１８Ａ，６８Ａ，６９Ａ  壁
２０  折れ戸
２２  吊り車
２３  下部ガイド部材
２４  ヒンジ
２７  穴
４０  キャッチ本体（係止体）
４２  ヘッド部（頭部）
６０  段差（係止部）
【図１】
2005336896.tif 000003
【図２】
2005336896.tif 000004
【図３】
2005336896.tif 000005
【図４】
2005336896.tif 000006
【図５】
2005336896.tif 000007
【図６】
2005336896.tif 000008
【図７】
2005336896.tif 000009
【図８】
2005336896.tif 000010
【図９】
2005336896.tif 000011
【図１０】
2005336896.tif 000012
【図１１】
2005336896.tif 000013